(57)【要約】本発明は、動作温度の高い電気抵抗素子の取付け装置にある。本装置は、グローゾーン（３）、及びグローゾーンを支持及び離間する手段（１、２）を備えた少なくとも一つの素子を有する。素子は長手方向に波形にされ、上方波形部分は垂直支持プレート（１）の上方縁部に支持され、下方波形部分は、各二つの隣接支持プレート（１）間に配列される離間手段（２）で支持される。支持プレート（１）及び離間手段（２）は弾性装着プルバー（５）によって互いに保持される。好ましくは素子は主に二珪化モリブデンから成る。【選択図】図１
2004530266.tif 000002
【特許請求の範囲】
【請求項１】
グローゾーン（３）、及びグローゾーンを支持及び離間する手段（１、２）を備えた少なくとも一つの素子を有する電気抵抗素子の水平取付け装置において、
素子が長手方向に波形にされ、上方波形部分が垂直支持プレート（１）の上方縁部に支持され、下方波形部分が、各二つの隣接支持プレート（１）間に配列される離間手段（２）の上方に自由に掛かっている
ことを特徴とする電気抵抗素子の水平取付け装置。
【請求項２】
支持プレート（１）及び離間手段（２）が弾性装着プルバー（５）によって互いに保持されていることを特徴とする請求項１に記載の電気抵抗素子の水平取付け装置。
【請求項３】
素子が二珪化モリブデンから成ることを特徴とする請求項１又は２に記載の電気抵抗素子の水平取付け装置。
【発明の詳細な説明】
【技術分野】
【０００１】
本発明は、動作温度の高い電気抵抗素子の取付け装置に関するものである。本発明は特に、セラミック材料から成る素子の取付け装置に関する。この種の素子及び装置は主に工業炉に用いられている。
【背景技術】
【０００２】
セラミック材料から成る抵抗素子は、普通１２００〜１９００℃の範囲の非常に高い動作温度で用いられる。動作条件は、しばしば間欠動作であり、このことは、素子が加熱状態と冷却状態との間で変わること意味している。これらの温度では、材料の性質は影響を受けて、柔らくなりより可塑性になる。このような変化する性質が素子の形状を変化さえ得ることになり、その結果良好な機能が損なわれるので、取付けにはこのような変化する性質を考慮しなければならない。また、ある種の素子では、素子本体の材料の性質と異なる性質をもつ表面層が形成され得る。例えば、酸化雰囲気、例えば空気中において、二酸化モリブデンから成る素子上に二酸化珪素の表面層が形成される。
【０００３】
上記の状態の望ましくない影響を軽減するために、この種の素子はしばしば特殊な仕方で取付けられ、例えば酸化アルミニウムから成り得る支持プレートに掛けたり配置され得る。素子が冷却される時に、素子が支持プレートに付着して素子に亀裂を生じさせ破壊させ得るので、これらの装置にはそれ自体幾つかの欠点がある。支持プレートが隣接したプレート間に間隔をあけて配列されるこれらの場合には、プレート間で素子が撓む危険があり、このことは素子を破損させる危険をさらに高めることになる。また、砂の粒上に素子のグローゾーンを配置することも知られており、このことは、素子の長さが温度の変化で変化する際に素子の動きが妨げられないことを意味し、このことはしばしば、素子がそれら自体砂にめり込むことを意味している。この種の設備における素子の最大温度は通常焼く１６００℃である。
【発明の開示】
【発明が解決しようとする課題】
【０００４】
本発明は、公知の装置の上記欠点を軽減又は除去し得る高温素子の取付け装置を提供することにある。
【課題を解決するための手段】
【０００５】
上記の目的を達成するために、本発明によれば、グローゾーン、及びグローゾーンを支持及び離間する手段を備えた少なくとも一つの素子を有する電気抵抗素子の水平取付け装置において、
素子が長手方向に波形にされ、上方波形部分が垂直支持プレートの上方縁部に支持され、下方波形部分が、各二つの隣接支持プレート間に配列される離間手段の上方に自由に掛かっていることを特徴としている。
【発明を実施するための最良の形態】
【０００６】
以下添付図面に示す実施の形態を参照して本発明をさらに詳細に説明する。
【０００７】
素子のグローゾーン３を支持するようにされる装置は、支持プレート１及び中間の離間プレート２を備えている。これらのプレートは列に配置され、すなわち隣接した支持プレート１の間に離間プレート２が配置され、図示実施の形態では、１２個の支持プレート及び１２個の離間プレートが設けられている。図示装置はその外方端部に離間プレート４を備え、離間プレート４上には通しプレート９が配置され、この通しプレート９は素子の接続部１１を通す孔又は溝を備えている。支持装置はプルバー５によって互いに保持され、このプルバー５は好ましくは炭化珪素から成る管又は太いロッドであり、装置の全長を通り離間プレート４で装置の外側へのびている。装置の内方端部において、管はロックピン７によって最終保持プレート８に固定され、ロックピン７はこの目的保持プレート８及び管５に形成された孔を通ってのびている。離間プレート４の外側で装置の外方端部には、ロック手段６が設けられ、このロック手段６は管５を弾性的にクランプし、そして支持装置の全体を相互に保持する。
【０００８】
素子のグローゾーン３は長手方向に波形に構成され、そして波形のＵ字形に形成され、そしてそれの真直ぐな部分は支持プレート１の垂直部分に沿ってのびている。上方波形屈曲部分は垂直な支持プレート１の上方端部で支持され、下方波形屈曲部分は、各二つの隣接した支持プレート１間に位置する離間プレート２上に自由に垂下がっている。支持プレート１及び離間プレート２は好ましくは、酸化アルミニウムセラミックから成っている。素子が尖った縁部で破損するのを避けるため、素子の外面に相応した溝又は切り欠き部が支持プレートの上面又は縁部に形成される。公知の仕方で支持される従来のＵ字形素子と比較して、素子の温度は１７００℃までにでき、素子の動作表面は１５０％まで拡大され、所与ケースで可能な組み付け効果を相当に増大させる。取付けられる素子を含めた支持装置は例えば、この目的で適当な溝を備えた炉の底部に押し込められ得る単位装置を形成する。これらの利点は、二珪化モリブデンセラミック素子を使用する分野を相当に拡大する。
【０００９】
発明の概念の枠内で、本装置の実施の形態は種々の仕方で変更され得る。図示し上記で説明してきた好ましい実施の形態では、離間プレート２より上方の支持プレート１の高さは離間プレートの長さの約二倍であり、すなわち２：１の関係にある。この関係は変えることができるが、好ましくは１．５：２．５の範囲内であり、この範囲内で所望の動作条件及び出力を得ることができる。本装置はまた、簡単な二曲がりのＵ字形以外の種類の素子、例えば四曲がりのＷ字形の素子にも適用され得る。本装置は二珪化モリブデン型のセラミック素子に対して開発され、これら素子に最も良く適応されるが、他の種類の素子を特殊な応用に用いることができる。
【図面の簡単な説明】
【００１０】
【図１】本発明による装置を上から見た斜視図。
【図２】図１の装置の側面図。
【国際公開パンフレット】
2004530266.tif 000003
2004530266.tif 000004
2004530266.tif 000005
2004530266.tif 000006
2004530266.tif 000007
2004530266.tif 000008
2004530266.tif 000009
【国際調査報告】
2004530266.tif 000010
2004530266.tif 000011